(57)【要約】【課題】  画像を表示する際にアンテナが受ける電磁妨害の影響を低減すること。【解決手段】  表示側部２と、表示側部２と相対的に移動可能に接続された操作側部３と、表示側部２に配置されたＬＣＤ１５と、ＬＣＤ１５を制御するドライバＩＣ５１と、表示側部２に配置され、ドライバＩＣ５１が一方の面に形成されたプリント配線基板５３と、操作側部３に配置されたアンテナ２２Ａと、を備え、表示側部２と操作側部３とは、操作側部３の重畳面が表示側部２により覆い隠される閉状態から相対的に移動して重畳面の少なくとも１部が露出する開状態に接続状態を変化可能であり、表示側部２と操作側部３とが閉状態または開状態のときに、プリント配線基板５３がドライバＩＣ５１とアンテナ２２Ａとの間の位置に配置される。【選択図】        図３
2010199982.tif 000002
【特許請求の範囲】
【請求項１】
第１の筐体と、
前記第１の筐体と相対的に移動可能に接続された第２の筐体と、
前記第１の筐体に配置された表示装置と、
前記表示装置を制御する表示制御回路と、
前記第１の筐体に配置され、前記表示制御回路が一方の面に形成されたプリント配線基板と、
前記第２の筐体に配置され、無線信号を受信するアンテナと、を備え、
前記第１の筐体と前記第２の筐体とは、前記第２の筐体の重畳面の少なくとも一部が前記第１の筐体により覆い隠される閉状態から相対的に移動して前記重畳面の少なくとも一部が露出する開状態に接続状態を変化可能であり、
前記第１の筐体と前記第２の筐体とが前記閉状態または前記開状態のときに、前記プリント配線基板が前記表示制御回路と前記アンテナとの間の位置に配置される、無線通信装置。
【請求項２】
前記表示装置に表示するための画像を生成する画像生成回路を、さらに備え、
前記プリント配線基板は、前記表示制御回路が形成される面に、前記表示制御回路を前記画像生成回路と接続するための接続コネクタが配置される、請求項１に記載の無線通信装置。
【請求項３】
前記表示制御回路は、前記アンテナが所定の無線信号を受信することに応じて、予め定められた画像を前記表示装置に表示させる、請求項１または２に記載の無線通信装置。
【請求項４】
前記第１の筐体と前記第２の筐体とが前記閉状態のときにおける前記表示制御回路と前記アンテナとの間の距離は、前記第１の筐体と前記第２の筐体とが前記開状態のときにおける前記表示制御回路と前記アンテナとの間の距離よりも短い、請求項１〜３のいずれかに記載の無線通信装置。
【請求項５】
前記表示制御回路は、前記閉状態において前記アンテナが所定の無線信号を受信することに応じて、予め定められた画像を前記表示装置に表示させる、請求項４に記載の無線通信装置。
【請求項６】
前記プリント配線基板の前記表示制御回路が形成される面とは反対側の面に形成され、前記表示制御回路を接地するための接地部を、さらに備えた、請求項１〜５のいずれかに記載の無線通信装置。
【発明の詳細な説明】
【技術分野】
【０００１】
この発明は、無線通信可能な無線通信装置に関する。
【背景技術】
【０００２】
近年、携帯電話機は、基地局との間で無線通信するために、無線信号を受信するためのアンテナを備える一方、液晶表示装置等の表示装置を駆動するためのドライバ回路を備えている。ドライバ回路は、電磁波を放出するため、無線信号を受信するためのアンテナが、ドライバ回路が放出する電磁波を受信してしまうと、電磁妨害（Ｅｌｅｃｔｒｏ  Ｍａｇｎｅｔｉｃ  Ｉｎｔｅｒｆｅｒｅｎｃｅ）の影響を受ける。
【０００３】
携帯電話機は、携帯の利便性から小型化、薄型化が求められている一方、操作の利便性から表示装置の表示面積の拡大が求められている。ドライバ回路は、配線を短くするために表示装置の近傍に配置することが望ましい。一方、アンテナを配置する位置は、自由度があるが、通話時に開状態に、携帯時に閉状態に形態を変化させる携帯電話機においては、形態によってはドライバ回路の近傍にアンテナが位置するのを避けられない場合がある。
【０００４】
特開平９―２１８６４９号公報には、受信した無線信号を復調する受信ボードと、復調された信号を処理するロジックボードと、処理した信号を液晶板の制御信号に変換する液晶駆動用ドライバと、該制御信号の制御により受信した情報を表示する液晶板と、該液晶板の背面側の液晶板と液晶駆動用ドライバとの間に配置され発光して液晶板を照明するＥＬ板と、ＥＬ板の液晶駆動用ドライバと対面する側に配置された導電性のシールド板とからなる液晶表示装置において、導電性のシールド板は液晶駆動用ドライバと対面する側にＥＬ板と一体に構成され、ＧＮＤに接続して液晶駆動ノイズを効率良く除去する液晶表示装置が記載されている。
【０００５】
しかしながら、従来の技術によれば、アンテナがドライバ回路から発生する磁界の影響を減少させるために、シールド板を配置しなければならないといった問題や、筐体の開閉等によりアンテナとドライバ回路との相対位置が変化する場合に対応できていないといった問題があった。
【特許文献１】特開平９―２１８６４９号公報
【発明の開示】
【発明が解決しようとする課題】
【０００６】
この発明は上述した問題点を解決するためになされたもので、この発明の目的の一つは、画像を表示する際にアンテナが受ける電磁妨害の影響を低減することが可能な無線通信装置を提供することである。
【課題を解決するための手段】
【０００７】
上述した目的を達成するためにこの発明のある局面によれば、携帯通信装置は、第１の筐体と、第１の筐体と相対的に移動可能に接続された第２の筐体と、第１の筐体に配置された表示装置と、表示装置を制御する表示制御回路と、第１の筐体に配置され、表示制御回路が一方の面に形成されたプリント配線基板と、第２の筐体に配置され、無線信号を受信するアンテナと、を備え、第１の筐体と第２の筐体とは、第２の筐体の重畳面の少なくとも一部が第１の筐体により覆い隠される閉状態から相対的に移動して重畳面の少なくとも一部が露出する開状態に接続状態を変化可能であり、第１の筐体と第２の筐体とが閉状態または開状態のときに、プリント配線基板が表示制御回路とアンテナとの間の位置に配置される。
【０００８】
この局面によれば、閉状態または開状態のときに、プリント配線基板が表示制御回路とアンテナとの間の位置に配置されるので、表示制御回路が発生する電磁波がプリント配線基板によってシールドされるとともに、表示制御回路とアンテナとの間の距離を可能な限り離すことができる。その結果、画像を表示する際にアンテナが受ける電磁妨害の影響を低減することが可能な無線通信装置を提供することができる。
【０００９】
好ましくは、表示装置に表示するための画像を生成する画像生成回路を、さらに備え、プリント配線基板は、表示制御回路が形成される面に、表示制御回路を画像生成回路と接続するための接続コネクタが配置される。
【００１０】
好ましくは、表示制御回路は、アンテナが所定の無線信号を受信することに応じて、予め定められた画像を表示装置に表示させる。
【００１１】
好ましくは、第１の筐体と第２の筐体とが閉状態のときにおける表示制御回路とアンテナとの間の距離は、第１の筐体と第２の筐体とが開状態のときにおける表示制御回路とアンテナとの間の距離よりも短い。
【００１２】
好ましくは、表示制御回路は、閉状態においてアンテナが所定の無線信号を受信することに応じて、予め定められた画像を表示装置に表示させる。
【００１３】
好ましくは、プリント配線基板の表示制御回路が形成される面とは反対側の面に形成され、表示制御回路を接地するための接地部を、さらに備える。
【００１４】
この局面に従えば、閉状態または開状態のときに、接地部が表示制御回路とアンテナとの間の位置に配置されるので、表示制御回路が発生する電磁波が接地部によってシールドされる。このため、画像を表示する際にアンテナが受ける電磁妨害の影響をさらに低減することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１は、本発明の実施の形態の一つにおける携帯電話の外観を示す斜視図である。図１を参照して、携帯電話機１は、第１の筐体としての表示側部２と、第２の筐体としての操作側部３と、を含む。表示側部２は、その裏面が操作側部３の表面と向かい合うように、操作側部３に長手方向にスライド可能に取り付けられる。図１においては、表示側部２を操作側部３に対してスライドさせて、携帯電話機１が開いた開状態を示している。携帯電話機１が閉じた閉状態においては、表示側部２の裏面は、操作側部３の表面と重なる。
【００１７】
表示側部２の表面は、表示装置としての液晶表示装置（ＬＣＤ）１５と、レシーバとしての第１スピーカ１１と、が配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイ等を用いてもよい。
【００１８】
携帯電話機１が開いた開状態において、操作側部３の表面（重畳面）の一部が露出する。操作側部３は、操作キー１７と、マイクロホン１３とが配置される。携帯電話機１が閉じた閉状態において、操作側部３の表面に設けられた操作キー１７が表示側部２により覆い隠される。
【００１９】
なお、表示側部２と操作側部３とがスライド可能であれば、閉状態において表示側部２の裏面の一部が操作側部３の表面と重なってよいし、表示側部２の裏面の全部が操作側部３の表面の一部と重なってよい。この場合、操作側部３の表面のうち閉状態において表示側部２と重なる部分を重畳面という。
【００２０】
図２は、本実施の形態における携帯電話機のハードウェア構成の一例を示すブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音声を制御するための音声制御部２８と、ユーザの操作の入力を受け付ける操作キー１７と、制御部２１で実行するプログラム等を記憶するためのフラッシュメモリ３１と、制御部２１の作業領域として使用されるＲＡＭ（Ｒａｎｄｏｍ  Ａｃｃｅｓｓ  Ｍｅｍｏｒｙ）３２と、を含む。
【００２１】
無線回路２２は、制御部２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２２】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、制御部２１に出力する。また、無線回路２２は、制御部２１から入力される電子メールを電子メールサーバに送信する。制御部２１は、電子メールサーバとの間で送受信した電子メールをフラッシュメモリ３１に記憶する。
【００２３】
操作キー１７は、表面の露出する部分に通話キー、通話終了キー、上下左右にカーソルを移動させるための指示キー、テンキーを含む。操作キー１７は、ユーザにより押下されると、押下されたことを示す信号を制御部２１に出力する。
【００２４】
音声制御部２８は、マイクロホン１３と接続され、マイクロホン１３が集音して出力するアナログの音声信号が入力される。音声制御部２８は、マイクロホン１３から入力される音声信号をコーデック部２３に出力する。また、音声制御部２８は、コーデック部２３から音声信号が入力され、コーデック部２３から入力された音声信号をスピーカ１１に出力する。
【００２５】
図３は、閉状態における携帯電話機の模式的断面図である。図４は、開状態における携帯電話機の模式的断面図である。図３および図４を参照して、表示側部２は、スピーカ１１と、表示装置としてのＬＣＤ１５と、ＬＣＤ１５の表示を制御するための表示制御回路が形成されたドライバＩＣ５１と、ドライバＩＣ５１が搭載されるプリント配線基板５３と、を備える。表示側部２は、スピーカ１１、ＬＣＤ１５、プリント配線基板５３の順に、表示側部２の長手方向に図面上から順に配置される。換言すれば、スピーカ１１とプリント配線基板５３との間に、ＬＣＤ１５が配置される。ＬＣＤ１５は、表示側部２が有する６つの表面のうち操作側部３に対向する面と反対側の面に露出して配置される。これにより、ユーザは、閉状態および開状態のいずれの状態においてもＬＣＤ１５の表示面を視認できる。
【００２６】
プリント配線基板５３は、ＬＣＤ１５とフレキシブルプリント配線基板５４によって接続され、表示制御回路が形成されたドライバＩＣ５１と接続コネクタ５７とが、プリント配線基板５３が有する２面のうち操作側部３を向く面の裏面に搭載される。
【００２７】
操作側部３は、メインプリント配線基板６３と、アンテナ２２Ａと、マイクロホン１３と、操作キー１７と、を備える。メインプリント配線基板６３、アンテナ２２Ａの順に、操作側部３の長手方向に図面上から順に配置される。
【００２８】
操作キー１７とマイクロホン１３とは、操作側部３が有する６つの表面のうち操作側部３に対向する面の図面下方に配置される。操作キー１７とマイクロホン１３とは、携帯電話機１が開状態のときに露出するが、携帯電話機１が閉状態のときに表示側部２によって覆い隠される。このため、ユーザは、携帯電話機１が開状態のときに操作キー１７を操作することができる。マイクロホン１３は、ユーザが携帯電話機１を開状態にして通話する際に、ユーザが発する音声を収集しやすいように、操作側部３のスピーカ１１とできるだけ離れた位置に配置される。操作キー１７とマイクロホン１３とは、メインプリント配線基板６３と接続される。
【００２９】
メインプリント配線基板６３は、図２に示した制御部２１、無線回路２２、コーデック部２３、音声制御部２８、フラッシュメモリ３１およびＲＡＭ３２が搭載される。また、メインプリント配線基板６３は、コネクタ６５を有する。コネクタ６５は、プリント配線基板５３に搭載された接続コネクタ５７と、フレキシブル配線基板５９で接続される。これにより、制御部２１と、ドライバＩＣ５１とが、携帯電話機１が閉状態および開状態のいずれの状態にあるときにおいてもフレキシブル配線基板５９を介して電気的に接続される。なお、フレキシブル配線基板５９に代えて、同軸ケーブルを用いて接続するようにしてもよい。
【００３０】
一方、フレキシブル配線基板５９とドライバＩＣ５１とのインピーダンス不整合によって、ドライバＩＣ５１から出力された信号が反射する。これによって、フレキシブル配線基板５９が接続される接続コネクタ５７においてノイズとなる電磁波が発生する。
【００３１】
図４に示すように、携帯電話機１が開状態のときにおけるドライバＩＣ５１とアンテナ２２Ａとの相対的な位置は、図３に示す携帯電話機１が開状態のときにおけるドライバＩＣ５１とアンテナ２２Ａとの相対的な位置と比較して長い。このため、携帯電話機１が開状態のときにおいては、ドライバＩＣ５１が駆動してドライバＩＣ５１および接続コネクタ５７において発生する電磁波がアンテナ２２Ａに与える影響は、携帯電話機１が開状態の時よりも閉状態の時のほうが大きい。図３に示すように、携帯電話機１が閉状態のとき、ドライバＩＣ５１および接続コネクタ５７と、アンテナ２２Ａとが最も接近する位置となる。
【００３２】
本実施の形態における携帯電話機１は、携帯電話機１が閉状態において、ドライバＩＣ５１および接続コネクタ５７とアンテナ２２Ａとの間にプリント配線基板５３が配置される。このため、プリント配線基板５３により、ドライバＩＣ５１が駆動して発生する電磁波が減少するので、アンテナ２２Ａが、ドライバＩＣ５１が駆動して発生する磁界の影響を減少することができ、アンテナ２２Ａが電波を受信することができる。
【００３３】
また、ドライバＩＣ５１および接続コネクタ５７が、プリント配線基板５３が備える２面のうちアンテナ２２Ａに対向する面と反対の裏面に配置される。このため、ドライバＩＣ５１および接続コネクタ５７がプリント配線基板５３のアンテナ２２Ａに対向する面に配置される場合に比較して、携帯電話機１が閉状態におけるドライバＩＣ５１および接続コネクタ５７と、アンテナ２２Ａとの間の距離を長くすることができ、ドライバＩＣ５１が駆動して発生する電磁波の影響を、アンテナ２２Ａが受けるのを減少することができる。
【００３４】
携帯電話機１が閉状態においてアンテナ２２Ａが着信信号の電磁波を受信する場合がある。この場合、制御部２１は、画像生成回路を有し、発信者の電話番号等を含み、着信を報知するための着信報知画面の画像を生成し、ドライバＩＣ５１を駆動し、ＬＣＤ１５に着信報知画面の画像を表示させる。着信報知画面をＬＣＤ１５に表示するためにドライバＩＣ５１を駆動したとしても、ドライバＩＣ５１および接続コネクタ５７と、アンテナ２２Ａとの間にプリント配線基板５３が配置されるので、ドライバＩＣ５１および接続コネクタ５７とアンテナ２２Ａとの間の距離を可能な限り長くするとともに、ドライバＩＣ５１および接続コネクタ５７より発生する磁界をプリント配線基板５３により減衰することができる。これにより、アンテナ２２Ａが電波を良好に受信することができる。
【００３５】
＜第１の変形例＞
図５は、第１の変形例における携帯電話機の閉状態における模式的断面図である。図では、携帯電話機が閉状態における断面図を示している。図５を参照して、第１の変形例における携帯電話機１が図３に示した携帯電話機１と異なる点は、プリント配線基板５３のドライバＩＣ５１および接続コネクタ５７が搭載される面の裏面に、ドライバＩＣ５１を接地するための接地パターン（接地部）５５を形成した点である。その他の構成は図３および図４に示したのと同じなので、ここでは説明を繰返さない。
【００３６】
第１の変形例における携帯電話機１は、プリント配線基板５３のドライバＩＣ５１および接続コネクタ５７が搭載される面の裏面に接地パターン５５を形成したので、この接地パターン５５によりドライバＩＣ５１が駆動して発生する電磁波または接続コネクタ５７が発生する電磁波が接地パターン５５によってシールドされる。このため、アンテナ２２Ａが、ドライバＩＣ５１が駆動することにより受ける電磁波の影響をさらに減少することができる。
【００３７】
＜第２の変形例＞
図６および図７は、第２の変形例における携帯電話機の模式的断面図である。図６は閉状態における断面図を示し、図７は開状態における断面図を示す。図３および図４に示した携帯電話機１と異なる点は、アンテナ２２Ａとメインプリント配線基板６３とが逆に配置される点である。操作側部３において、アンテナ２２Ａ、メインプリント配線基板６３の順に、操作側部３の長手方向に図面上から順に配置される。このため、図７に示すように、携帯電話機１が開状態のときにおけるドライバＩＣ５１とアンテナ２２Ａとの相対的な位置は、図６に示す携帯電話機１が閉状態のときにおけるドライバＩＣ５１とアンテナ２２Ａとの相対的な位置と比較して短い。このため、携帯電話機１が開状態のときにおいては、ドライバＩＣ５１が駆動してドライバＩＣ５１および接続コネクタ５７において発生する電磁波がアンテナ２２Ａに与える影響は、携帯電話機１が閉状態の時よりも大きい。図７に示すように、携帯電話機１が開状態のとき、ドライバＩＣ５１および接続コネクタ５７と、アンテナ２２Ａとが最も接近する位置となる。
【００３８】
第２の変形例における携帯電話機１は、携帯電話機１が開状態において、ドライバＩＣ５１および接続コネクタ５７とアンテナ２２Ａとの間にプリント配線基板５３が配置される。このため、プリント配線基板５３により、ドライバＩＣ５１が駆動して発生する電磁波が減少するので、アンテナ２２Ａが、ドライバＩＣ５１が駆動して発生する電磁波の影響を減少することができ、アンテナ２２Ａが電波を良好に受信することができる。
【００３９】
また、ドライバＩＣ５１および接続コネクタ５７が、プリント配線基板５３が備える２面のうちアンテナ２２Ａに対向する面と反対の裏面に配置される。このため、ドライバＩＣ５１および接続コネクタ５７がプリント配線基板５３のアンテナ２２Ａに対向する面に配置される場合に比較して、携帯電話機１が閉状態におけるドライバＩＣ５１および接続コネクタ５７と、アンテナ２２Ａとの間の距離を長くすることができ、ドライバＩＣ５１が駆動して発生する磁界の影響を、アンテナ２２Ａが受けるのを減少することができる。
【００４０】
携帯電話機１が開状態においては、通常はユーザがＬＣＤ１５に画面を表示させている場合が多い。このように、携帯電話機１が開状態でＬＣＤ１５に画面が表示されている場合であっても、ドライバＩＣ５１および接続コネクタ５７と、アンテナ２２Ａとの間にプリント配線基板５３が位置するので、ドライバＩＣ５１および接続コネクタ５７とアンテナ２２Ａとの間の距離を可能な限り長くするとともに、ドライバＩＣ５１および接続コネクタ５７より発生する電磁波をプリント配線基板５３により減衰することができる。これにより、アンテナ２２Ａが良好な電波を受信することができる。
【００４１】
なお、第１の変形例を第２の変形例に適用することにより、第１の変形例で示される接地パターン５５により、ドライバＩＣ５１および接続コネクタ５７より発生する磁界の影響をアンテナ２２Ａがより受けにくくすることができる。
【００４２】
なお、本実施の形態においては、表示側部２と、操作側部３とがスライドすることにより相対的な位置を変更し、開状態と閉状態とに形態を変化するスライド式の携帯電話機１を例に示したが、開状態と閉状態とに形態を変化することにより、アンテナ２２ＡとドライバＩＣ５３および接続コネクタ５７との間の距離が開状態と閉状態とで異なる携帯電話機であれば、リボルバ式または折りたたみ式の携帯電話機であってもよい。リボルバ式の携帯電話機は、表示側部２と操作側部３とがＬＣＤ１５の表示面に垂直な回転軸で連結されており、表示側部２と操作側部３とが回転軸を中心に相対的に回転して開状態と閉状態とに形態を変化する携帯電話機である。折りたたみ式の携帯電話機は、表示側部２と操作側部３とがＬＣＤ１５の表示面に平行な回転軸で連結されており、表示側部２と操作側部３とが回転軸を中心に相対的に回転して開状態と閉状態とに形態を変化する携帯電話機である。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態の一つにおける携帯電話の外観を示す斜視図である。
【図２】本実施の形態における携帯電話機のハードウェア構成の一例を示すブロック図である。
【図３】閉状態における携帯電話機の模式的断面図である。
【図４】開状態における携帯電話機の模式的断面図である。
【図５】第１の変形例における携帯電話機の閉状態における模式的断面図である。
【図６】第２の変形例における携帯電話機の閉状態における模式的断面図である。
【図７】第２の変形例における携帯電話機の開状態における模式的断面図である。
【符号の説明】
【００４５】
１  携帯電話機、２  表示側部（第１の筐体）、３  操作側部（第２の筐体）、１１  スピーカ、１３  マイクロホン、１５  ＬＣＤ（表示装置）、１７  操作キー、２１  制御部（画像生成回路）、２２  無線回路、２２Ａ  アンテナ、２３  コーデック部、２８  音声制御部、３１  フラッシュメモリ、５１  ドライバＩＣ（表示制御回路）、５３  プリント配線基板、５４  フレキシブル配線基板、５５  接地パターン（接地部）、５７  接続コネクタ、６５  コネクタ、５９  フレキシブル配線基板、６３  メインプリント配線基板。
【図１】
2010199982.tif 000003
【図２】
2010199982.tif 000004
【図３】
2010199982.tif 000005
【図４】
2010199982.tif 000006
【図５】
2010199982.tif 000007
【図６】
2010199982.tif 000008
【図７】
2010199982.tif 000009